(57)【要約】【課題】これまで、ゴミ袋は一旦包装袋から開封すると整理が困難であり、開封されたゴミ袋を使用する場合も１枚を取り出すのは別のゴミ袋とくっ付き、引き剥がす作業が伴い、１枚取り出すのに煩雑な作業が伴っていた。【解決手段】補助具に複数枚の積層されたゴミ袋を三つ折り状態で包み込んだカセット状態のゴミ袋をゴミ袋収納容器の挿入口より着脱することで、ゴミ袋取出口より人の手で１枚のゴミ袋を簡単に取り出すことができる。また、ゴミ袋収納容器を壁等に固定できることから場所を選ばず使用できる。【選択図】図１
0003138844.tif 000002
【実用新案登録請求の範囲】
【請求項１】
補助具に複数枚の積層されたゴミ袋を三つ折り状態で包み込んだカセット状態のゴミ袋を収納可能な筐体からなり、前記筐体は、前記カセット状態のゴミ袋を簡単に着脱できる挿入口と、前記カセット状態のゴミ袋の最外層部のゴミ袋を人の手により１枚単位で簡単に取り出せる開口部よりなるゴミ袋取出口を備えていることを特徴とするゴミ袋収納容器。
【請求項２】
前記補助具は、断面が四角、凸又は丸形状の３本の柱状体を並列に配置し、前記３本の柱状体がそれぞれ略均等な間隔を維持した状態で隣接する両端が弾性体を介して連結固定されたことを特徴とする請求項１のゴミ袋収納容器。
【請求項３】
前記筐体は、四角の平面と角型からなり、前記挿入口は開口、または閉蓋を設け、背面の一部は筐体の外形より大きく構成し、壁面に固定金具により固定できることを特徴とする請求項１のゴミ袋収納容器。
【考案の詳細な説明】
【技術分野】
【０００１】  本考案は、ゴミ袋収納容器中に積層された複数のゴミ袋より、人の手で積層された複数のゴミ袋より１枚を簡単、且つ確実に取り出す技術に関するものである。
【背景技術】
【０００２】  ゴミ袋は、一般的に１０枚単位で積層された状態で２つ折に、または大きさの大きなゴミ袋は４つ折りに畳まれ、小さめの袋に包装し市販されている。ゴミ袋を使用する場合、包装袋を破り、折り畳みを元に戻し広げて１枚を取り出しているが、一度広げたゴミ袋を元通りに折り畳み包装された袋に戻す、または折り畳み整理して保管するには作業に時間と手間がかかる。一般的には、この作業は煩雑さ故に行われず、ダンボール箱等に広げたゴミ袋を丸めて放り込み、必要時に紐解くように広げて１枚を取り出すか、無理やりに引き剥がすように取り出している。整理して保管するには手間がかかり、乱雑に保管すると場所をとり、取り出すことも手間がかかる不便さがあった。【０００３】  この改善策として、１枚のゴミ袋を広げて、前記ゴミ袋の内側に同じ状態で何枚も重ねて挿入し、内側より必要に応じて１枚単位で取り出し使用する方法がある。この方法も、内側に同じ状態で何枚も重ねて挿入する手間と煩雑さが伴うのみでなく、ゴミ袋を広げるようにして保管しなければならず、保管の場所を広く取る欠点があった。
【特許文献１】特開２００７−９１４６１号公報
【考案の開示】
【考案が解決しようとする課題】
【０００４】  解決しようとする問題点は、ゴミ袋を使用する場合、包装袋を破り、折り畳みを元に戻し広げて使用しているが、未使用のゴミ袋が整理できず保管され、次に使う時に取り出し難い点である。
【課題を解決するための手段】
【０００５】  本考案は、補助具と収納容器からなり、複数枚の積層されたゴミ袋の略中央部に補助具を載せ、ゴミ袋を内側に三つ折りに畳むことでカセット状態にできる補助具と、カセット状態のゴミ袋を挿入口より簡単に着脱できる挿入口と、カセット状態の積層されたゴミ袋の最外層部のゴミ袋を手で簡単に１枚を取り出せる開口部を備えていること収納容器からなることを最も主要な特徴とする。
【考案の効果】
【０００６】  本考案のゴミ袋収納容器は、補助具に複数枚の積層されたゴミ袋を三つ折り状態で包み込んだカセット状態のゴミ袋を筐体に挿入することで、筐体のゴミ袋取出口よりゴミ袋１枚を人の手で簡単に、且つ確実に取り出すことができるという利点がある。
【考案を実施するための最良の形態】
【０００７】  ゴミ袋収納容器１は、ゴミ袋７より１枚を人の手で簡単に、且つ確実に取り出すことができることを実現した。また、市販のゴミ袋７を煩雑な作業を必要とすることなく補助具９を包み込むように三つ折りに畳みゴミ袋７と補助具８をカセット状態のゴミ袋１５とすることで、簡単にゴミ袋収納容器１より簡単に着脱できる。補助具９の３本の柱状体１０Ａ，１０Ｂは断面が四角、凸又は丸形状が望ましい。隣接する柱状体１０Ａ、支柱体１０Ｂの間には空隙が設けられていることから、ゴミ袋収納容器１の筐体２のゴミ袋取出口３側のゴミ袋７は、凸状態となっており、ゴミ袋７を人の手で掴み易い状態を実現した。ゴミ袋７を積層し補助具９に包み込むように三つ折りに畳むことによりコンパクトな構造を実現した。ゴミ袋取出口３側の背面を構成する背面部６の一部を筐体１部より大きくすることで壁面等に取り付けることが可能となり、任意の場所で使用できる。
【実施例１】  図１は、ゴミ袋収納容器１にカセット状態のゴミ袋の全体図を示す。筐体１、とゴミ袋取出口３、カセット状態のゴミ袋１５を着脱可能な挿入口５から構成されている。ゴミ袋収納容器１の背面部６の窄孔８を固定部材４で壁面に取り付け使用することができる。また、図１では、固定部材４は吸着盤で固定する実施例をあげているが、実施例１に限るものではなく、ネジ等による固定できる方法であればよいことは言うまでもなく、また固定せず使用することもできる。挿入口５は、空隙の状態でも良く、閉じ蓋を取り付けても良い。【０００８】  図２は、市販されている複数枚入ったゴミ袋７を包装状態から開封した後の積層状態を示す。【０００９】  図３は、補助具９である。３本の柱状体１０Ａ，１０Ｂからなり、弾力体１１により隣接する柱状体が連結固定されている。弾力体１１はコイルバネを使用し、コイルバネと柱状体１０Ａ，１０Ｂはコイルバネのフック部１２で固定され、柱状体１０Ａ，１０Ｂとはコイルバネのバネ線１４の一部が小ネジ１３で固定されている。弾力体１１は、ゴミ袋収納容器１よりゴミ袋７を簡単に取り出せ、また手触りを良くすることを目的としており、ポリウレタン樹脂等の弾力を有する材料であれば良い。弾力体１１と柱状体１０Ａ，１０Ｂとの固定も、固定の目的が達成できれば、特に小ネジ１３による方法に限るものではない。【００１０】  図４は、ゴミ袋７に補助具９を載せた状態を示したものである。正面から見て左右のゴミ袋の端部を補助具上に三つ折りに畳む前の状態を示している。【００１１】  図５はゴミ袋を補助具に折り畳んだ後の状態、つまりカセット状態のゴミ袋１５を示している。カセット状態のゴミ袋１５はゴミ袋収納容器１に簡単に着脱できる。
【産業上の利用可能性】
【００１２】  これまで、ゴミ袋は一旦包装袋から開封すると整理が困難であり、包装袋から開封された複数枚のゴミ袋より１枚取り出すには別のゴミ袋より引き剥がす作業が伴っていた。考案のゴミ袋収納容器は、これらの問題点が解決され、安価で供給でき、場所も選ばず簡単に１枚のゴミ袋を取り出すことができる。
【図面の簡単な説明】
【００１３】
【図１】ゴミ袋収納容器
【図２】市販のゴミ袋の包装袋から取り出した状態の図である。
【図３】補助具の構造を示す図である。
【図４】ゴミ袋に補助具を載せた状態を示す図である。
【図５】補助具にゴミ袋を三つ折りに折り畳んだカセット状態のゴミ袋の図である。
【符号の説明】
【００１４】  １      ゴミ袋収納容器
２      筐体
３      ゴミ袋取出口
４      固定部材
５      挿入口
６      背面部
７      ゴミ袋
８      窄孔
９      補助具
１０Ａ    支柱体
１０Ｂ    支柱体
１１      弾力体
１２      フック部
１３      小ネジ
１４      バネ線
１５      カセット状態のゴミ袋
【図１】
0003138844.tif 000003
【図２】
0003138844.tif 000004
【図３】
0003138844.tif 000005
【図４】
0003138844.tif 000006
【図５】
0003138844.tif 000007